(57)【要約】【課題】  内部に収納される回路基板に対して不正な処理を施すことができない遊技機の基板収納ボックスを提供する。【解決手段】  回路基板９０を収納する基板収納ボックス５０において、該基板収納ボックス５０が回路基板９０を含む複数の構成部品である箱体５１、透明板６４、カバー体７０等によって組み付け構成されると共に、回路基板９０を被覆するための組付構成部品である箱体５１の係止突起５７とカバー体７０の係止垂下片７６に係る所定の部位（係止垂下片７６の基部）を破壊しない限り、その組付け状態を解除することができないリベット５９等の固着手段を設けたので、箱体５１とカバー体７０を分離して内部に収納される回路基板９０を取り出すには、少なくとも係止垂下片７６の基部を破壊する以外に方法はなく、仮に係止垂下片７６の基部が破壊されていれば、不正な処理が行われたことが直ちにわかる。【選択図】  図４
2006289129.tif 000002
【特許請求の範囲】
【請求項１】
遊技機に設けられる回路基板を収納する基板収納ボックスにおいて、
該基板収納ボックスが前記回路基板を含む複数の構成部品によって組み付け構成されると共に、前記回路基板を被覆するための組付構成部品に係る所定の部位を破壊しない限り、その組付け状態を解除することができない固着手段を設けたことを特徴とする遊技機の回路基板収納ボックス。
【請求項２】
前記固着手段は、前記組付構成部品の間をリベットによって固着するものであることを特徴とする請求項１記載の遊技機の回路基板収納ボックス。
【請求項３】
前記固着手段は、前記組付構成部品を溶着又は接着によって固着するものであることを特徴とする請求項１記載の遊技機の回路基板収納ボックス。
【請求項４】
前記固着手段は、前記組付構成部品の間の係止機構をさらに係止する第２の係止機構であることを特徴とする請求項１記載の遊技機の回路基板収納ボックス。
【発明の詳細な説明】
【技術分野】
【０００１】
本発明は、遊技機、例えば、パチンコ遊技機やスロットマシンに設けられる回路基板を収納する基板収納ボックスに関するものである。
【背景技術】
【０００２】
従来、パチンコ遊技機やスロットマシンには、多くの回路基板が設けられている。特に、遊技動作を制御する遊技制御回路基板には、マイクロコンピュータを構成するＭＰＵ、ＲＯＭ、ＲＡＭ等の電子素子が多数実装されている。そして、遊技動作を制御するプログラムが格納されるＲＯＭを交換することにより、多くの場合、異なる遊技内容を実現することが可能である。しかし、このようなＲＯＭ交換は、当初の認められた遊技内容と異なるため、許可されておらず、これを防止するために、出願人は、先に、特開平６−２６９５３９号に開示される技術を提案した。
【０００３】
上記した技術は、基板収納ボックス５０の箱体５１の内周面に突設される係止突起５７に対して、箱体５１を被覆するカバー体６０に垂下される係止垂下片６６を係合させ、一旦、係止突起５７と係止垂下片６６とを係合させた状態では、その係合部分が基板収納ボックス５０内に存在しているので、外部からその係合状態をはずすことができない予定であった。
【特許文献１】特開平６−２６８５３９号公報
【発明の開示】
【発明が解決しようとする課題】
【０００４】
しかしながら、基板収納ボックス５０には、放熱孔等の多数の穴が存在するため、それらの穴からピアノ線等を挿入して上記した内部に存在する係止突起５７と係止垂下片６６との係合状態を解除して箱体５１とカバー体６０とを分解するという不正行為が行われることがわかった。本発明は、上記した事情に鑑みなされたもので、その目的とするところは、内部に収納される回路基板に対して不正な処理を施すことができない遊技機の基板収納ボックスを提供することにある。
【課題を解決するための手段】
【０００５】
上記した目的を達成するために、本発明が採用した手段を図面を参照して説明すると、図４に示すように、遊技機に設けられる回路基板９０を収納する基板収納ボックス５０において、該基板収納ボックス５０が前記回路基板９０を含む複数の構成部品である箱体５１、透明板６４、カバー体７０等によって組み付け構成されると共に、回路基板を被覆するための組付構成部品である箱体５１の係止突起５７とカバー体７０の係止垂下片７６に係る所定の部位（例えば、係止垂下片７６の基部）を破壊しない限り、その組付け状態を解除することができないリベット５９等の固着手段を設けたことを特徴とするものである。
【０００６】
上記した固着手段としては、リベット締め以外にも、図８に示すように、カバー体７０と箱体５１に対応密着する突片１１１，１１０を突設し、該突片１１１，１１０を溶着するか接着剤で接着するかの構成を採用しても良いし、図２５に示すように、カバー体７０の係止垂下片１７０と箱体５１の側壁に開設される係合穴１７１とを係合させる係止機構を、更にロック部材１７２の係合部１７３が係止垂下片１７０の爪部１７０ａと係合する第２の係止機構によって係止する構成を採用しても良い。
【発明の効果】
【０００７】
本発明においては、遊技機に設けられる回路基板を収納する基板収納ボックスにおいて、該基板収納ボックスが前記回路基板を含む複数の構成部品によって組み付け構成されると共に、前記回路基板を被覆するための組付構成部品に係る所定の部位を破壊しない限り、その組付け状態を解除することができない固着手段を設けたので、基板収納ボックスの放熱孔等の穴からピアノ線等を差し込んで係止機構の係合状態を外そうとしても固着手段によってその係合状態を外すことは不可能である。このため、箱体とカバー体を分離して内部に収納される回路基板を取り出すには、少なくとも回路基板を被覆するための組付構成部品に係る所定の部位を破壊する以外に方法はなく、仮に所定の部位が破壊されていれば、不正な処理が行われたことが直ちにわかる。
【０００８】
上記した固着手段としては、リベット締め、溶着、接着剤による接着、あるいは回路基板を被覆するための組付構成部品の間の係止機構をさらに係止する第２の係止機構によって係止する構成を採用しても良い。
【発明を実施するための最良の形態】
【０００９】
以下、図面を参照して、本発明の実施形態について説明する。まず、図２８及び図２９を参照して、実施形態に係る遊技機の一例としてのパチンコ遊技機１の構成について説明する。図２８は、パチンコ遊技機１の正面図であり、図２９は、パチンコ遊技機１の背面図である。図２８において、パチンコ遊技機１の額縁状に形成された前面枠２の開口には、扉保持枠３が周設され、該扉保持枠３にガラス扉枠４と前面扉板５とが一側（左側）を軸として開閉自在に設けられている。ガラス扉枠４の後方には、遊技盤１１が配置され、前面扉板５の前面には、打球供給皿６が取り付けられている。この打球供給皿６は、払い出された景品玉を貯留し且つ打玉として発射位置に１個ずつ供給するものであり、その上流側の内部空間に遊技に関連する効果音を発生するスピーカ７が内蔵されている。また、前記前面枠２の下方には、打玉を発射する際に操作する操作ハンドル９と、前記打球供給皿６に貯留し切れない余剰の景品玉を貯留する余剰玉受皿８とが設けられている。また、前面枠２には、その上部前面に特定遊技状態となったことを報知する遊技効果ランプ装置１０が設けられている。
【００１０】
ところで、前記遊技盤１１の表面には、発射された打玉を誘導するための誘導レール１２がほぼ円状に植立され、該誘導レール１２で区画された領域が遊技領域１３を構成している。遊技領域１３のほぼ中央上部には、複数（３つ）の回転ドラム１５ａ〜１５ｃを有する可変表示装置１４が配置されている。この可変表示装置１４の回転ドラム１５ａ〜１５ｃは、独立したドラムモータ（図示しない）によって回転駆動され、その図柄停止位置を検出するためにドラムセンサ（図示しない）が内蔵され、更に表示される図柄を照射装飾するためのドラムランプ（図示しない）を内蔵している。
【００１１】
また、可変表示装置１４には、その上部に飾りＬＥＤ２０が設けられ、該飾りＬＥＤ２０の下部に始動記憶ＬＥＤ２１が設けられている。飾りＬＥＤ２０は、０〜９までの符号のついた１０個のＬＥＤから構成され、後述する特定遊技状態となったときに所定のランダム数から抽出される値に対応するＬＥＤが点灯するようになっている。そして、飾りＬＥＤ２０は、特定遊技状態の発生に関連していずれか１つがランダムに点灯表示されるもので、遊技内容には直接関係しないが、遊技場が所定のサービス（例えば、特定遊技状態で獲得した多量の景品玉を使用して継続して遊技を行うことを許可するサービス）を提供する場合に使用できる。例えば、「７」の飾りＬＥＤ２０で点灯停止したときに所定のサービスを提供するようにすれば良い。また、始動記憶ＬＥＤ２１は、後述する始動入賞口２３に入賞した打玉のうち記憶したものを表示するものである。更に、可変表示装置１４の両サイドには、回転ドラム１５ａ〜１５ｃの縦横３つの図柄によって構成される５本の当りラインを表示するライン表示ＬＥＤ２２が設けられている。本実施形態における当りラインは、図示するように、上段水平の当りライン１と、右下がり対角線の当りライン２と、中断水平の当りライン３と、右上り対角線の当りライン４と、下段水平の当りライン５と、があり、いずれかの当りライン上に所定の図柄（大当り図柄という場合がある）が並んだときに大当りとなって特定遊技状態を生起せしめる。
【００１２】
上記のように構成される可変表示装置１４の下方には、前記回転ドラム１５ａ〜１５ｃの回転を許容する始動入賞口２３が設けられている。この始動入賞口２３に入賞した入賞玉は、遊技盤１１の裏面に導かれて始動口スイッチ２４によって検出される。なお、始動入賞口２３への入賞に基づく可変表示装置１４の回転は、所定回数（例えば、４回）記憶され、その旨が可変表示装置１４に設けられる始動記憶ＬＥＤ２１によって表示されるようになっている。
【００１３】
前記可変表示装置１４の下方に入賞領域２６を有する可変入賞球装置２５が設けられている。可変入賞球装置２５の入賞領域２６には、下端両サイドを軸支して、遊技盤１１面に対して垂直方向に開閉自在とされる開閉板２７によって塞がれている。この開閉板２７は、開閉板用ソレノイド２８によって開閉制御され、開成中には、遊技盤１１の表面を落下する打玉を受止めて入賞領域２６に導き入賞玉とする。また、入賞領域２６の内部は、３つに区画され、その中央に特定領域２９が形成され、その左右に通常領域が形成されている。特定領域２９には、特定領域スイッチ３０が設けられ、また、通常入賞領域にも１０カウントスイッチ３１ａ，３１ｂが設けられている。
【００１４】
なお、入賞領域２６の後面壁には、その中央に打玉が特定領域２９に入賞して特定領域スイッチ３０をＯＮしたときに、継続権が成立した旨を報知するＶ表示ＬＥＤ３２が設けられ、その一側に特定遊技状態における開閉板２７の開放回数を表示する開成回数表示器３３が設けられている。また、入賞領域２６の下方のには、特定領域スイッチ３０及び１０カウントスイッチ３１ａ，３１ｂで検出された打玉数を表示する個数表示ＬＥＤ３４が設けられている。更に、可変入賞球装置２５の取付基板７の左右部には、通常の入賞口（符号なし）が一体的に形成され、入賞口の外側にアタッカーランプ３５が設けられている。
【００１５】
しかして、上記のように構成される可変入賞球装置２５は、以下のように作動する。即ち、打玉がいずれかの始動入賞口２３に入賞して始動口スイッチ２４をＯＮさせると、可変表示装置１４の回転ドラム１５ａ〜１５ｃが回転を開始し、一定時間（例えば、５秒）が経過すると、左側の回転ドラム１５ａから順次停止され、すべての回転ドラム１５ａ〜１５ｃの停止時の図柄の組み合せが大当り図柄の組合せとなったときに特定遊技状態となる。そして、この特定遊技状態においては、可変入賞球装置２５の開閉板２７が所定期間（例えば、２０秒経過するまで、あるいは１０個の入賞玉が発生するまで）開放するように設定され、その開放している間遊技盤１１の表面を落下する打玉を受止めるようになっている。そして、入賞領域２６内に設けられた特定領域２９に入賞すると、再度上記した開放状態を繰り返し、特定領域２９に入賞玉が入賞する毎に継続権が成立して開放状態を最高１６回繰り返すことができるようになっている。
【００１６】
更に、遊技盤１１の表面には、前記可変表示装置１４の上部左右側方に風車ランプ３７が設けられ、下部側方に入賞口（符号なし）が設けられている。また、前記風車ランプ３７は、前記特定遊技状態時や始動入賞時等に点灯又は点滅してその旨を報知するものであり、同様な機能を有するものとして、遊技領域１３の左右にサイドランプ３６が設けられている。また、遊技盤１１の表面の最下方には、上記したいずれの入賞領域にも入賞しなかった打玉が遊技盤１１の後方に導かれるアウト口（図示しない）が設けられている。また、誘導レール１２の外周に沿ってレール飾りランプ３８が設けられている。
【００１７】
一方、パチンコ遊技機１の裏面構成においては、図２９に示すように、機構板４１が開閉自在に設けられている。この機構板４１の中央には、窓開口４２が開設され、該窓開口４２に対応する遊技盤１１の裏面には、入賞玉集合カバー体３９が設けられている。入賞玉集合カバー体３９には、前記可変表示装置１４の後面突出部が貫通しており、その後面突出部の裏面にドラム中継基板１９が設けられている。このドラム中継基板１９には、前記ドラムモータ、ドラムランプ、ドラムセンサ等からの配線がコネクタを介して接続される一方、後述する回路基板としての遊技制御回路基板９０と接続される配線もコネクタを介して接続されるようになっている。また、入賞玉集合カバー体３９の裏面には、可変表示装置１４以外の遊技盤１１に設けられる電気機器（例えば、始動口スイッチ２４、ソレノイド２８、特定領域スイッチ３０、１０カウントスイッチ３１ａ，３１ｂ、各種の表示器及びランプ等）からの配線がコネクタを介して接続される一方、遊技制御回路基板９０からの配線もコネクタを介して接続される中継基板４０も設けられている。要は、ドラム中継基板１９も中継基板４０も遊技制御回路基板９０と遊技盤１１に設けられる電気機器との配線の中継を行うものである。
【００１８】
ところで、機構板４１には、周知のように発生した入賞玉に基づいて所定個数の景品玉を払い出すための景品玉タンク４３、景品玉払出装置４４、入賞玉処理装置４５等の各種の機構が設けられるものであるが、更に、前記した遊技盤１１に設けられる可変表示装置１４や可変入賞球装置２５等の遊技装置の遊技動作を制御する遊技制御回路基板９０を収納する基板収納ボックス５０も機構板４１の裏面に取り付けられている。この基板収納ボックス５０に収納される遊技制御回路基板９０は、機構板４１の上部一側に設けられるターミナル基板４６に接続されて電源の供給を受けている。また、ターミナル基板４６は、遊技制御回路基板９０に電源を供給するだけでなく、パチンコ遊技機１に設けられる電気的駆動源、例えば、打球発射装置４７にも電源を供給すると共に、パチンコ遊技機１の内部での信号線の中継、あるいはパチンコ遊技機１と外部との信号線の中継を行うための端子も設けられている。
【００１９】
次に、本実施形態の要部を構成する基板収納ボックス５０の構成について図１乃至図５を参照して説明する。図１は、基板収納ボックス５０の平面図であり、図２は、基板収納ボックス５０の側面図であり、図３は、基板収納ボックス５０の分解斜視図であり、図４は、図１のＤ−Ｄ線で切断した基板収納ボックス５０の断面図と要部の拡大部分断面図であり、図５は、固着手段としてのブラインドリベット５９の作用を示す断面図である。
【００２０】
しかして、基板収納ボックス５０は、遊技制御回路基板９０を収納支持する箱体５１と、該箱体５１の上面を閉塞するカバー体７０とが組付構成され、そのように組付構成された基板収納ボックス５０は、前記機構板４１の裏面に止着される取付台１００に着脱自在に取り付け得るようになっている。以下、各組付構成部品毎に説明する。
【００２１】
まず、箱体５１は、上面が開放した直方体状に合成樹脂（金属でも良い）で形成され、その側壁のほぼ全域に内部で発生する熱を放熱するための放熱孔５２が多数穿設されている。また、箱体５１の底面には、比較的大きな長方形状の開口５３が開設され、該開口５３の長手方向開口縁には、取付台１００の後述する係合レール１０１に係合するＬ字状の係合片５４が垂下形成されている。なお、箱体５１の底面は、図４（Ａ）に示すように、側壁の下端よりもやや上方の位置に底上げ状態で形成されているため、垂下形成される上記係合片５４は、箱体５１の側壁と同一平面状に位置することとなる。
【００２２】
更に、箱体５１には、その前方部中央に係止孔６３が形成され、その前方部左右に支持位置決め突起５５が突設され、その後方部左右に止め突起５６が突設されている。係止孔６３は、基板収納ボックス５０を取付台１００に装着した際に取付台１００に形成される係止突起１０４と係合して基板収納ボックス５０全体を機構板４１の裏面に支持固定するものである。また、支持位置決め突起５５は、遊技制御回路基板９０の前方部両端をカバー体７０に設けられる後述する押え部材７８と挟持して支持するものであり、止め突起５６は、遊技制御回路基板９０の後方部両端をビス９３で止着支持するものである。なお、支持位置決め突起５５及び止め突起５６については、後に詳述する。
【００２３】
また、箱体５１の長手方向両側壁内側には、係止突起５７が形成されている。この係止突起５７は、カバー体７０を箱体５１に被覆したときにカバー体７０の裏面に垂下形成される係止垂下片７６と係合するようになっており、この係止突起５７と係止垂下片７６との係合状態は、通常では、外部から操作してその係合状態を解除することができないようになっているが、前記した放熱孔５２等からピアノ線等を挿入して係合状態を解除することが全く不可能ではないので、本実施形態においては、係止突起５７のほぼ中央にリベット貫通穴５８が形成され、これに対応する係止垂下片７６にもリベット貫通穴７７が形成されてそれぞれの貫通穴５８，７７にブラインドリベット５９を貫通させて係止突起５７と係止垂下片７６とを固着するようになっている。この点については、後に詳述する。
【００２４】
更に、前記係止突起５７の近傍の箱体５１の内面には、予備的に設けられる取付穴６１が形成されている。この取付穴６１は、カバー体７０に形成される後述するビス止め穴７９に対応してビス８０で取り付け得るようになっており、検査等の必要により、係止垂下片７６の基部を切断して箱体５１とカバー体７０とを分離した場合に、再度箱体５１とカバー体７０とを組み付けるときに使用するものである。なお、箱体５１の後部側壁は、高さが低く形成された配線引き出し凹部６２となっている。
【００２５】
また、箱体５１の前記開口５３を閉塞するために透明板６４が箱体５１の内側から底面に当接して設けられる。このため、透明板６４の四隅には、間隔保持筒部６５が上面に形成され、この間隔保持筒部６５が図４（Ａ）に示すように、前記支持位置決め突起５５及び止め突起５６を貫通して所定の位置に保持され、また、間隔保持筒部６５の上面に遊技制御回路基板９０の下面が当接して透明板６４と遊技制御回路基板９０との間隔を保持している。しかして、箱体５１の底面を透明板６４で閉塞することにより、遊技制御回路基板９０の裏面（ハンダ面）が外部から透視し得ることとなり、仮にハンダ面に不正な工作（例えば、ジャンパー配線を接続したり、電子部品を実装したりする不正工作）をした場合には、直ちにわかるようになっている。この意味で、透明板６４によって閉塞される開口５３の大きさは、基板収納ボックス５０を傾けながらハンダ面の全域が見える程度の大きさがあれば十分である。
【００２６】
一方、上記した箱体５１の上面を閉塞するカバー体７０は、透明な合成樹脂によって一体的に成形されるもので、その後方部が下方向に曲折された仕切片７１となっている。この仕切片７１の位置は、カバー体７０を箱体５１に装着したときに図１に示すように、遊技制御回路基板９０のコネクタ実装領域９２が外部に現れて接続開口７２を形成するような位置で曲折される。これにより、箱体５１にカバー体７０を組付構成した状態で接続開口７２に臨むコネクタに外部からの配線を接続することができる。また、カバー体７０の表面のほぼ全域には、内部で発生した熱を外部に放出するための放熱孔７３が表示領域８３を除く範囲（図１の二点鎖線で囲んだ範囲）で多数形成されている。また、カバー体７０の上面両サイドには、Ｌ字状のＬ型突起７４が列状に形成されている。このＬ型突起７４は、外部からのノイズの影響が大きい場合に、必要に応じてノイズ防止用の金属薄板を挿入することができるものである。
【００２７】
更に、カバー体７０の長手方向端縁には、図４（Ａ）及び図１に示すように、箱体５１の側壁上端縁と係合する掛止部７５が上下２カ所ずつ突設され、該掛止部７５の間のカバー体７０には、下方に向かって垂下される係止垂下片７６が形成されている。係止垂下片７６には、前述したようにリベット貫通穴７７が穿設されている。また、係止垂下片７６の近傍には、前述したように取付穴６１に対応するビス止め穴７９が形成されている。このビス止め穴７９は、前述したように、遊技場での検査が終了した後に、再度カバー体７０と箱体５１とを組み付ける場合にビス８０を螺着することにより行うものであるが、ビス８０を螺着した後には、図９（Ｂ）に示すように、ビス８０を完全に被覆するように検査済封印紙８２を貼付することが望ましい。このように構成することにより、検査済封印紙８２を破損しなければ、ビス８０に触ることができないため、不正行為の発見が容易となるからである。
【００２８】
また、カバー体７０の前方部両側に押え部材７８が垂下されており、また、カバー体７０を箱体５１に組み付けた状態で、掛止部７５部分のカバー体７０の上面と箱体５１の側壁との間を差し渡すように封印紙８１が貼付される。
【００２９】
上記した押え部材７８と係止垂下片７６の詳細な説明をする前に、遊技制御回路基板９０の構造について簡単に説明すると、遊技制御回路基板９０は、周知のようにプリント配線基板によって構成され、その上面が電子部品の実装面とされ、その実装面の大部分が電子部品実装領域９１として使用され、後方の一部がコネクタ実装領域９２とされる。また、遊技制御回路基板９０には、その前方左右に前記支持位置決め突起５５に対応する係止穴９４が形成され、その後方左右に前記止め突起５６に対応する止め穴９５が形成されている。
【００３０】
上記のように構成されるカバー体７０の押え部材７８と係止垂下片７６の作用について以下説明する。まず、押え部材７８の作用について説明する。透明板６４が装着された状態の箱体５１において、遊技制御回路基板９０の前方の係止穴９４を支持位置決め突起５５の先端突起部に差し込み、後方の止め穴９５を止め突起５６に載置する。この状態で止め穴９５と止め突起５６の穴を一致させてビス９３を螺着することにより、一応、遊技制御回路基板９０を箱体５１に止着したこととなる。そして、その後、カバー体７０を箱体５１の上方から装着する。この際、押え部材７８の先端部が図４（Ａ）（この図は、図１のＥ−Ｅ線で切断した断面図である）に示すように、遊技制御回路基板９０の上面に当接すると共に、係止穴９４を貫通している支持位置決め突起５５の先端突起部が押え部材７８の中心に形成された穴に係合するので、遊技制御回路基板９０の前方部が支持位置決め突起５５と押え部材７８とによって挟持止着された状態となり、後方部のビス９３による止着とで完全に遊技制御回路基板９０を基板収納ボックス５０内に止着したこととなる。
【００３１】
一方、係止垂下片７６の作用について説明すると、係止垂下片７６は、箱体５１の側壁内側に設けられる係止突起５７に対応するもので、図４（Ｂ）に示すように、係止垂下片７６は、カバー体７０に形成された貫通穴７６ｂを貫通して一旦上方に突出された後Ｕ字状に曲折されてカバー体７０の上面と一体的に接続されて形成され、その下端に外側に突設する爪部７６ａが形成されている。一方、係止突起５７は、その上面が傾斜面５７ａとなっており、その下部が鋭角的に切り込まれた係合面５７ｂとなっている。しかして、カバー体７０を箱体５１の上方から装着すると、係止垂下片７６の爪部７６ａが傾斜面５７ａに沿って弾性変形しながら下方に移動し、遂には、爪部７６ａと係合面５７ｂとが係合した状態となる。この係止垂下片７６と係止突起５７の係合状態を解除するには、係止垂下片７６の爪部７６ａを内側に移動させなければならない。
【００３２】
そして、そのような移動を、例えば、箱体５１に形成される放熱孔５２やカバー体７０に形成される放熱孔７３からピアノ線等を差し込んで行うことが可能であり、このような不正行為を完全に行えないようにするため、本実施形態においては、係止突起５７と係止垂下片７６とをリベット５９で固着している。そこで、係止突起５７と係止垂下片７６とをリベット５９で固着する方法について、図５を参照して説明する。本実施形態に用いられるリベット５９は、ブラインドリベット５９と言われるもので、アルミニューム製のリベット５９本体の中に、一端部にリベット５９の内周筒を挿通し得ない係合部６０ａを有し且つ係合部６０ａの基部に径の細い折曲部６０ｂを有する引きピン６０を挿入したものである。まず、係止突起５７と係止垂下片７６との合致した貫通穴５８，７７にブラインドリベット５９を差し込み、その状態で所定の工具を使用して引きピン６０を図５（Ａ）に示す矢印方向に引くと、係合部６０ａによってリベット５９の足部が図５（Ｂ）に示すように変形し、リベット５９の頭部と変形した端部とによって完全に係止突起５７と係止垂下片７６とが挟持された状態となり、その後、引きピン６０をさらに強く引っ張ることにより、折曲部６０ｂから折れて先端部が分離する。
【００３３】
このような状態において、基板収納ボックス５０の外側からリベット５９の挟持状態を解除する操作を行うことは不可能であるため、一旦カバー体７０を箱体５１に装着してリベット５９を固着した後には、簡単にカバー体７０を箱体５１から外すことはできない。しかして、これを外そうと思えば、図４（Ｂ）に示すように係止垂下片７６の基部をニッパ等で切断して図４（Ｃ）に示すように、係止垂下片７６をカバー体７０から分離させなければならない。
【００３４】
このように、本実施形態においては、遊技機に設けられる遊技制御回路基板９０を収納する基板収納ボックス５０において、該基板収納ボックス５０が遊技制御回路基板９０を含む複数の構成部品である箱体５１、透明板６４、カバー体７０等によって組み付け構成されると共に、遊技制御回路基板９０を被覆するための組付構成部品である箱体５１の係止突起５７とカバー体７０の係止垂下片７６に係る所定の部位である係止垂下片７６の基部を破壊しない限り、その組付け状態を解除することができないリベット５９からなる固着手段を設けたので、基板収納ボックス５０の放熱孔５２，７３等の穴からピアノ線等を差し込んで係止突起５７と係止垂下片７６との係合状態を外そうとしてもリベット５９によってその係合状態を外すことは不可能であるから、箱体５１とカバー体７０を分離して内部に収納される遊技制御回路基板９０を取り出すには、少なくとも係止垂下片７６の基部を破壊する以外に方法はなく、仮に係止垂下片７６の基部が破壊されていれば、不正な処理が行われたことが直ちにわかる。
【００３５】
なお、上記した係止垂下片７６をカバー体７０の裏面に直接（貫通穴７６ｂを形成することなく）形成しても良く、この場合には、係止垂下片７６部分のカバー体７０を破壊しなければ、カバー体７０と箱体５１の係合状態を解除することができない。また、係止垂下片７６が多数形成されている場合には、カバー体７０のほぼ全部を破壊しなければ係合状態を解除することができない。
【００３６】
上記のように外部からは分離できないように組付構成された基板収納ボックス５０は、図２に示すような機構板４１に止着される取付台１００に着脱自在に取り付けられるようになっている。ここで簡単に取付台１００について説明すると、取付台１００は、合成樹脂（金属でも良い）によって一体的に形成され、その中央に前記係合片５４と係合する一対の係合レール１０１が逆Ｌ字状に形成され、その上下端縁に基板収納ボックス５０の側壁を案内するガイド片１０２（このガイド片１０２は必ずしも必要でない）が突設されている。一方、取付台１００の一側端部には、弾性変形する係止解除レバー１０３が形成され、該係止解除レバー１０３の基部に前記係止孔６３と係合する係止突起１０４が突設されている。
【００３７】
しかして、基板収納ボックス５０を取付台１００に装着するときには、取付台１００の側方から係合片５４が係合レール１０１に係合するように押し込み、更に強く押し込むことにより係止突起１０４上面の傾斜面に沿って係止解除レバー１０３が下方に弾性し、遂には、係止突起１０４と係止孔６３とが係合して装着が完了する。一方、基板収納ボックス５０を取り外すには、係止解除レバー１０３を下方に押圧して係止孔６３と係止突起１０４との係合を解除した状態で基板収納ボックス５０を押し込み方向とは逆の方向に引き抜くことにより簡単に取り外すことができる。
【００３８】
上記した実施形態においては、固着手段として、箱体５１側に形成される係止突起５７とカバー体７０に設けられる係止垂下片７６とをリベット５９で固着する構造を示したが、他の固着手段を採用しても良い。そこで、以下、固着手段の他の実施形態について説明する。
【００３９】
図６乃至図１３を参照して、第２実施形態に係る固着手段について説明する。図６は、第２実施形態に係る固着手段が適用される基板収納ボックス５０Ａの平面図であり、図７は、該基板収納ボックス５０Ａの分解斜視図であり、図８は、図６のＡ−Ａ線で切断した断面図であり、図９は、（Ａ）が要部の説明をするための断面図で、（Ｂ）が図６のＢ−Ｂ線で切断した断面図であり、図１０乃至図１２は、他の溶着構造を示す概略断面図であり、図１３は、超音波プラスチック溶着装置の原理を示す概略図である。なお、この第２実施形態における図面中の符号は、第１実施形態と構造又は機能が同じ構成要素に対しては、同じ符号を付した。
【００４０】
以下、第２実施形態の特徴とするところを簡単に説明する。この第２実施形態における固着手段は、箱体５１の上辺の適宜箇所（少なくとも左右の２カ所あれば良いが、図示では、４カ所）から水平方向に延びる溶着突片１１０を延設し、一方これに対応するカバー体７０にも水平方向に溶着突片１１１を延設し、箱体５１にカバー体７０を合わせたときに、相互の溶着突片１１０，１１１が当接した状態となり、その当接部分を超音波プラスチック溶着装置によって溶着するものである。なお、溶着突片１１０，１１１の基部には、切れ込み部１１０ａ，１１１ａが形成されており、検査時等に容易に溶着部分を折曲分離することができるようになっている。逆に通常時において、過って基板収納ボックス５０を落下したとき等に、切れ込み部１１０ａ，１１１ａから溶着部分が簡単に曲折分離しないように、カバー体７０の四隅には、溶着突片１１０，１１１より外側に突出している破損防止凸部１１２が形成されている。
【００４１】
ここで、図１３を参照して超音波プラスチック溶着装置の原理について簡単に説明すると、ベース１２０に受治具１２１が載置され、その受治具１２１に溶着物１２２を乗せ、一方、溶着物１２２の上部には、ホーン１２３が位置し、このホーン１２３に超音波振動を付与する超音波振動子１２４を連結すると共に、ホーン１２３に圧力を加えるシリンダ１２５を連結する。超音波振動子１２４には、制御部によって制御される超音波発振器が接続され、シリンダ１２５は、空圧制御回路によって制御される。
【００４２】
しかして、ベース１２０に設けられる起動スイッチ１２６を操作して装置を稼働させたときには、ホーン１２３に超音波振動が発生すると共に、ホーン１２３を所定の圧力で溶着物１２２を加圧する。そして、その加圧状態で溶着物１２２の境界面に摩擦熱が発生して、その摩擦熱によって境界面が瞬時に溶着する。なお、ベース１２０には、非常時に装置の稼働を停止する非常スイッチが設けられている。
【００４３】
上記のような動作原理の溶着装置を用いて第２実施形態の溶着突片１１０，１１１を溶着することにより、箱体５１とカバー体７０とが、その溶着部分を破壊しない限り、分離することは不可能となる。このため、箱体５１とカバー体７０を分離して内部に収納される遊技制御回路基板９０を取り出すには、少なくとも溶着部分の切れ込み部１１０，１１１ａを折曲分離する以外に方法はなく、仮に溶着部分が折曲分離されていれば、不正な処理が行われたことが直ちにわかる。
【００４４】
なお、溶着するに際し、図１０に示すように、カバー体７０の溶着突片１１１の下面に円錐状の突起１１１ｂを形成しておくことにより、溶着時間を極めて短くすることができると共に、溶解した突起１１１ｂが境界面を埋める埋め代となって十分な溶着強度を得ることができる。また、図１１に示すように、溶着突片１１１の下面に円柱状の突起１１１ｃを形成し、溶着突片１１０に突起１１１ｃの径より若干小さい径の嵌入穴１１０ｂを形成し、これらを加圧しながら溶着することにより、突起１１１ｃが嵌入穴１１０ｂに嵌入溶着されて上記と同様に十分な溶着強度を得ることができる。同じく、十分な溶着強度を得るために溶着突片１１０，１１１側に工夫を凝らすのではなく、装置のホーン１２３の先端形状を図１２に示すように、波形突起１２３ａとすることにより、溶着後の溶着部分に溶着凹部１１３を形成することができ、この溶着凹部１１３によっても十分な溶着強度を得ることができる。なお、溶着に類似する技術である接着剤を溶着突片１１０，１１１の境界面に塗布して接着する技術を、この第２実施形態に適用しても良い。
【００４５】
次に、同じく溶着技術を用いて固着する他の実施形態（第３実施形態）に係る基板収納ボックス５０Ｂの構成について図１４乃至図１７を参照して説明する。図１４は、第３実施形態に係る基板収納ボックス５０Ｂの平面図であり、図１５は、溶着部分の部分平面図と断面図であり、図１６及び図１７は、類似の溶着構造を示す断面図である。
【００４６】
この第３実施形態に係る基板収納ボックス５０Ｂは、カバー体７０の外周縁の適宜位置（図示では、３カ所）に長方形状の貫通穴１３０を形成すると共に、その貫通穴１３０に向かって傾斜する傾斜面部１３１を周設し、更に、貫通穴１３０の裏面一側にガイド片１３４を周設し、一方、箱体５１には、貫通穴１３０を貫通する断面長方形状の突出片１３２を突設し、突出片１３２をガイド１３４片に沿って貫通穴１３０に貫通した状態で図１５（Ｃ）に示すように、溶着装置のホーン１２３で突出片１３２の頭部を溶解してその溶着部１３３が傾斜面部１３１と溶着係合するものである。これによって、箱体５１とカバー体７０とが、その溶着部１３３を破壊しない限り、分離することは不可能となる。このため、箱体５１とカバー体７０を分離して内部に収納される遊技制御回路基板９０を取り出すには、少なくとも溶着部１３３を破壊する以外に方法はなく、仮に溶着部１３３が破壊されていれば、不正な処理が行われたことが直ちにわかる。
【００４７】
なお、この第３実施形態においては、溶着部１３３の基部（即ち、突出片１３２の基部）をきれいに切断して箱体５１とカバー体７０とを分離して不正行為を行った後その切断面に接着剤を塗布して再度箱体５１とカバー体７０とを組み付けるという不正を行われる可能性があるので、図１５（Ｅ）に示すように、貫通穴１３０の裏面の他側にも防犯用のガイド片１３５を突設すれば、上記のような不正行為を防止することができる。また、この第３実施形態を示す図１４には、検査時等に溶着部１３３を破壊して分離した後に、再度組み付けるためのビス止め穴７９及びビス８０等が記載されていないが、これは図示を省略したものであり、実際には設けられている。
【００４８】
また、突出片１３２や貫通穴１３０の形状を変えたりしても良い。例えば、図１６に示すように、カバー体７０に貫通穴を形成せず、箱体５１の突出片１３６をクランク状に形成してカバー体７０を受けるように構成し、そのクランク状突出片１３６の先端を先端形状が半円状のホーン１２３によって内側に溶着して溶着部１３７でカバー体７０を包み込むように構成しても良い。また、図１７に示すように、カバー体７０の貫通穴１３０の周辺部に傾斜面部を形成することなく突出片１３２を突出した場合には、ホーン１２３の形状を富士媚態状に形成して、突出片１３２の先端を二股状に分けてカバー体７０の上面を被覆溶着する溶着部１３８としても良い。
【００４９】
ところで、上記のように構成される第３実施形態に係る基板収納ボックス５０Ｂにおいては、溶着部分以外のところを浮き上がらせて慎重に溶着部分にクラックを生じさせて分離するということも考えられるので、このような不正を防止するために、図１８に示す基板収納ボックス５０Ｃ（第４実施形態）のように、カバー体７０の溶着部１３３の近傍から傾斜状（必ずしも傾斜状でなくても良い）に延びるスリット１４０を形成することにより、無理にこじ開けようと力を入れたときにカバー体７０が破損するように構成しても良い。なお、図１８は、第４実施形態に係る基板収納ボックス５０Ｃの平面図である。
【００５０】
また、遊技制御回路基板９０に対する不正は、主として遊技動作を制御するプログラムが格納されたＲＯＭの交換という行為であり、この点に着目すれば、箱体５１とカバー体７０とを接着剤等で完全に固着し、ＲＯＭ位置に対応するカバー体７０の部分だけ開閉できるようにすれば良い。このような構成を実現した実施形態（第５実施形態）が、図１９乃至図２１に示す構成である。図１９は、第５実施形態に係る基板収納ボックス５０Ｄの平面図であり、図２０は、図１９のＣ−Ｃ線で切断した断面図であり、図２１は、要部の断面図である。図において、遊技制御回路基板９０のＲＯＭ１５０の位置する上方のカバー体７０の一部をＲＯＭカバー板１５１としてＬ型上部ガイド１５２と下部受けガイド１５３とによってスライド自在に設け、第２実施形態と同様に箱体５１に形成される溶着突片１１０とＲＯＭカバー板１５１に形成される溶着突片１１１とを溶着することにより、第２実施形態と同様に、箱体５１とＲＯＭカバー板１５１とが、その溶着部分を破壊しない限り、分離することは不可能となる。このため、箱体５１とＲＯＭカバー板１５１を分離して内部に収納されるＲＯＭ１５０を取り出すには、少なくとも溶着部分の切れ込み部１１０ａ，１１１ａを折曲分離する以外に方法はなく、仮に溶着部分が折曲分離されていれば、不正な処理が行われたことが直ちにわかる。なお、図１９において、溶着突片１１０，１１１の左右のカバー体７０には、破損防止凸部１１２が形成されている。
【００５１】
なお、第２実施形態乃至第５実施形態においては、溶着技術を適用した固着手段を示したが、これらの溶着技術は、同種のプラスチック同士の溶着が最も溶着強度が強くなる。しかし、異種のプラスチックを溶着する場合であっても、境界面における溶着強度は、若干弱くなるものの、第３実施形態や第４実施形態に示すように、溶着部分の構造を特殊な構造とすることにより、溶着部分において機械的な係合状態を作り出し、この係合状態が異種間の溶着強度の弱さを補うものとすることができる。また、第２実施形態乃至第５実施形態における溶着技術を接着技術に変えて構成しても良い。
【００５２】
次に、さらに他の固着手段について説明する。図２２及び図２３は、最も手軽に行える固着手段（第６実施形態）の形態を示すものである。図２２は、第６実施形態に係る基板収納ボックス５０Ｅの断面図であり、図２３は、要部の拡大部分断面図である。図において、箱体５１の内側側面に係止ひも１６０を一体的に形成し、この係止ひも１６０をカバー体７０に形成される貫通穴１６２を通して外部に引き出し、その引き出した係止ひも１６０の先端部分に形成されるのこぎり状係止部１６１を箱体５１の外側側面に形成される貫通穴１６２内を貫通させて該貫通穴１６２内に形成される係止部１６３に係止させ、貫通穴１６２から突出した部分を切断する。このように構成することにより、一旦係止ひも１６０を貫通穴１６２に貫通させた後には、のこぎり状係止部１６１と係止部１６３との係合状態は、通常の状態のままでは、はずしにくく、強制的にはずした場合には、係止ひも１６０に傷が付いていたりして容易に不正をはたらいたか否かがわかる。したがって、係止ひも１６０に傷つけないで係止ひも１６０を引き抜くことは不可能に近く、結局、箱体５１とカバー体７０を分離して内部に収納される遊技制御回路基板９０を取り出すには、少なくとも係止ひも１６０を切断する以外に方法はなく、仮に係止ひも１６０が切断されていれば、不正な処理が行われたことが直ちにわかる。
【００５３】
次に、第７実施形態に係る固着手段について図２４乃至図２６を参照して説明する。図２４は、第７実施形態に係る基板収納ボックス５０Ｆの分解斜視図であり、図２５は、その断面図であり、図２６は、要部の部分拡大断面図である。図において、箱体５１とカバー体７０との装着は、箱体５１の側面に適宜位置（図示では４個）開設される係合穴１７１にカバー体７０から垂下される係止垂下片１７０の爪部１７０ａを係合させることにより行い、更に、係合穴１７１に対して箱体５１の外側側面から該係合穴１７１を完全に塞ぐ平板部の前面に矢印状の係合部１７３が突設されたロック部材１７２を差し込んで係合部１７３によって爪部１７０ａの裏面を係止するように構成したものである。つまり、箱体５１とカバー体７０との係合を第１の係止機構である係合穴１７１と係止垂下片１７０とで行い、その第１の係止機構をロック部材１７２の係合部１７３という第２の係止機構で係止した構造である。この構造は、ロック部材１７２を係合穴１７１に差し込む際には、係合部１７３の圧入より爪部１７０ａが若干後方に下がりながら受け入れるが、逆に、例えば放熱孔５２からピアノ線等を差し込んで係合部１７３の係合をはずし、さらに係止垂下片１７０の爪部１７０ａをはずすことは、ほぼ不可能であるし、実際にこれをやろうとすると、ロック部材１７２の係合部１７３の後ろの部分で破損してしまうものである。
【００５４】
したがって、第７実施形態における基板収納ボックス５０Ｆを分離しようとすれば、図２６（Ｂ）に示すように、ドライバ工具１７４等でロック部材１７２を破損しなければならず、仮にロック部材１７２が破損されていれば、不正な処理が行われたことが直ちにわかる。ただし、ロック部材１７２を破損させて、ロック部材１７２のコピー品を作成して元の状態に戻すという不正が行われる可能性もあるが、このような不正に対しては、例えば、ロック部材１７２の材質を複数種類のプラスチックを特定の割合で混ぜたものから成形することにより、成分分析することにより本物かコピー品であるかが分かるようにしておけば良い。この場合、外観からその成分比率を予測させないようにロック部材１７２にメッキ処理を施すことにより、予測させないと共に、コピーにかかる時間や経費を増大させ、結果的に不正がしずらくなるようにすることが望ましい。また、出荷時期や機種等によって混合比率を変化させることにより、一層コピーしずらくなるようにしても良い。なお、ロック部材１７２の材質は、プラスチックに限るものではなく、金属又は他の物質の混合物でも良い。
【００５５】
更に、基板収納ボックスにおける固着手段の付与に加えて、基板収納ボックスを取り付けるべきパチンコ遊技機１の機構板４１への取付構造にも固着手段を適用しても良い。このような適用をした実施形態（第８実施形態）が図２７に示されている。図２７は、機構板４１と第８実施形態に係る基板収納ボックス５０Ｇとの関係を示す側方断面図である。図において、機構板４１の裏面に突設される取付ボス４８への基板収納ボックス５０Ｇの取付構造において、基板収納ボックス５０Ｇが取りつけられる取付板１８５を取付ボス４８に対して溶着部１８６で取り付けることにより、基板収納ボックス５０Ｇ自体を機構板４１から取り外すには、取付ボス４８の溶着部１８６を破損させなければならない。また、基板収納ボックス５０Ｇを構成する枠体１８０とカバー体１８１との接合部分も溶着部１８４で溶着することにより、これらを分離するためには、溶着部１８４を破損させなければならない。更に、基板収納ボックス５０Ｇは、カバー体１８１に基板取付ボス１８２を突設し、その基板取付ボス１８２に遊技制御回路基板９０を電子部品等の実装面がカバー体１８１の内側に向くように溶着部１８３で取り付けられている。このため、仮に枠体１８０とカバー体１８１とを分離できたとしても、直ちに実装面に触れることができないため、溶着部１８３を破損して基板取付ボス１８２から遊技制御回路基板９０を取り出さなければならない。
【００５６】
このように、第８実施形態に係る基板収納ボックス５０Ｇにおいては、３カ所を破損しなければ、ＲＯＭ等を交換することができないので、少なくとも溶着部１８３，１８４，１８６が破損されてておれば、不正な処理が行われたことが直ちにわかる。
【００５７】
以上、複数の実施形態に係る遊技制御回路基板９０を収納する基板収納ボックス５０、５０Ａ〜５０Ｇの構成及び作用について説明してきたが、本実施形態によれば、図４に示すように、遊技機に設けられる回路基板９０を収納する基板収納ボックス５０において、該基板収納ボックス５０が前記回路基板９０を含む複数の構成部品である箱体５１、透明板６４、カバー体７０等によって組み付け構成されると共に、回路基板９０を被覆するための組付構成部品である箱体５１の係止突起５７とカバー体７０の係止垂下片７６に係る所定の部位（例えば、係止垂下片７６の基部）を破壊しない限り、その組付け状態を解除することができないリベット５９等の固着手段を設けたことを特徴とするものである。このように構成することにより、基板収納ボックス５０の放熱孔５２，７３（図３参照）等の穴からピアノ線等を差し込んで係止突起５７と係止垂下片７６との係合状態を外そうとしてもリベット５９によってその係合状態を外すことは不可能である。このため、箱体５１とカバー体７０を分離して内部に収納される回路基板９０を取り出すには、少なくとも係止垂下片７６の基部を破壊する以外に方法はなく、仮に係止垂下片７６の基部が破壊されていれば、不正な処理が行われたことが直ちにわかる。
【００５８】
上記した固着手段としては、リベット締め以外にも、図８に示すように、カバー体７０と箱体５１に対応密着する突片１１１，１１０を突設し、該突片１１１，１１０を溶着するか接着剤で接着するかの構成を採用しても良いし、図２５に示すように、カバー体７０の係止垂下片１７０と箱体５１の側壁に開設される係合穴１７１とを係合させる係止機構を、更にロック部材１７２の係合部１７３が係止垂下片１７０の爪部１７０ａと係合する第２の係止機構によって係止する構成を採用しても良い。
【００５９】
また、上記した実施形態では、基板収納ボックス５０の組付構成部品として、箱体５１とカバー体７０と遊技制御回路基板９０とからなるものを示したが、遊技制御回路基板９０を収納するものであれば、どのような構造のものでも良い。また、基板収納ボックス５０に収納される基板も遊技動作を制御するものに限らず、不正行為が行われ易い制御回路（例えば、景品玉払出制御回路）を収納する基板収納ボックスにも応用することができる。更に、遊技機としては、パチンコ遊技機以外の遊技機であっても良い。
【図面の簡単な説明】
【００６０】
【図１】第１実施形態に係る基板収納ボックスの平面図である。
【図２】該基板収納ボックスの側面図である。
【図３】該基板収納ボックスの分解斜視図である。
【図４】図１のＥ−Ｅ線で切断した断面図及び要部の拡大断面図である。
【図５】固着手段としてのブラインドリベットの作用を示す断面図である。
【図６】第２実施形態に係る基板収納ボックスの平面図である。
【図７】該基板収納ボックスの分解斜視図である。
【図８】図６のＡ−Ａ線で切断した断面図である。
【図９】該基板収納ボックスの要部拡大断面図と図６のＢ−Ｂ線で切断した断面図である。
【図１０】他の溶着構造を説明する断面図である。
【図１１】同じく他の溶着構造を説明する断面図である。
【図１２】同じく他の溶着構造を説明する断面図である。
【図１３】溶着装置の原理を説明する概略図である。
【図１４】第３実施形態に係る基板収納ボックスの平面図である。
【図１５】要部の平面図及び断面図である。
【図１６】他の溶着構造を説明する断面図である。
【図１７】同じく他の溶着構造を説明する説明図である。
【図１８】第４実施形態の基板収納ボックスの平面図である。
【図１９】第５実施形態の基板収納ボックスの平面図である。
【図２０】図１９のＣ−Ｃ線で切断した断面図である。
【図２１】要部の断面図である。
【図２２】第６実施形態の基板収納ボックスの断面図である。
【図２３】その要部の拡大断面図である。
【図２４】第７実施形態の基板収納ボックスの分解斜視図である。
【図２５】該基板収納ボックスの断面図である。
【図２６】その要部の拡大断面図である。
【図２７】第８実施形態に係る基板収納ボックスの断面図である。
【図２８】実施形態に係る遊技機の一例としてのパチンコ遊技機の正面図である。
【図２９】パチンコ遊技機の背面図である。
【符号の説明】
【００６１】
１  パチンコ遊技機
５０  基板収納ボックス
５１  箱体
５７  係止突起
５７ａ  傾斜面
５７ｂ  係合面
５８  リベット貫通穴
５９  ブラインドリベット
６０  引きピン
７０  カバー体
７６  係止垂下片
６６ａ  爪部
６６ｂ  貫通穴
７７  リベット貫通穴
９０  遊技制御回路基板
１００  取付台
１１０  溶着突片
１１０ａ  切れ込み部
１１１  溶着突片
１１１ａ  切れ込み部
１３０  貫通穴
１３１  傾斜面部
１３２  突出片
１３３  溶着部
１３６  クランク状突出片
１３７  溶着部
１３８  溶着部
１４０  スリット
１５１  ＲＯＭカバー板
１６０  係止ひも
１７０  係止垂下片
１７０ａ  爪部
１７１  係合穴
１７２  ロック部材
１７３  係合部
１８０  枠体
１８１  カバー体
１８２  基板取付ボス
１８３  溶着部
１８４  溶着部
１８５  取付板
１８６  溶着部
【図１】
2006289129.tif 000003
【図２】
2006289129.tif 000004
【図３】
2006289129.tif 000005
【図４】
2006289129.tif 000006
【図５】
2006289129.tif 000007
【図６】
2006289129.tif 000008
【図７】
2006289129.tif 000009
【図８】
2006289129.tif 000010
【図９】
2006289129.tif 000011
【図１０】
2006289129.tif 000012
【図１１】
2006289129.tif 000013
【図１２】
2006289129.tif 000014
【図１３】
2006289129.tif 000015
【図１４】
2006289129.tif 000016
【図１５】
2006289129.tif 000017
【図１６】
2006289129.tif 000018
【図１７】
2006289129.tif 000019
【図１８】
2006289129.tif 000020
【図１９】
2006289129.tif 000021
【図２０】
2006289129.tif 000022
【図２１】
2006289129.tif 000023
【図２２】
2006289129.tif 000024
【図２３】
2006289129.tif 000025
【図２４】
2006289129.tif 000026
【図２５】
2006289129.tif 000027
【図２６】
2006289129.tif 000028
【図２７】
2006289129.tif 000029
【図２８】
2006289129.tif 000030
【図２９】
2006289129.tif 000031